(57)【要約】      （修正有）【課題】釣り竿を水面に投げると、金属線のオモリ付きオモリ支持具の下端が水底に届いてタナ取りができると共に、岩礁等の障害物に根掛かりしてハリスが切れて釣り針をなくすことを防止できるハゼ釣りに適用する魚釣り用オモリ支持具を提供する。【解決手段】所定長さの直線状の金属線製オモリ支持体１の上半部と下半部の中央部を一巻きして環状のオモリ取付部２を成形すると共に、オモリ支持体の頂部に先糸通し用の傾斜環状部３を成形し、オモリ取付部の下半部を第１の中通しオモリ５の長さＬｎより長く設定し、下半部の下端を所定の長さで二つ折りしてハリス挟持部４としたことを特徴とする。【選択図】図３
0003230623.tif 000002
【実用新案登録請求の範囲】
【請求項１】
所定長さ（Ｌ）の直線状の金属線製オモリ支持体（１）の上半部（１１）と下半部（１２）の中央部を一巻きして環状のオモリ取付部（２）を成形すると共に、オモリ支持体（１）の頂部に先糸通し用の傾斜環状部（３）を成形し、当該オモリ取付部（２）の下半部（１２）を第１の中通しオモリ（５）の長さ（Ｌｎ）より長く設定し、その下半部（１２）の下端を所定の長さ（Ｌ１）で二つ折りしてハリス挟持部（４）としたことを特徴とする魚釣り用オモリ支持具。
【請求項２】
二つ折りしたハリス挟持部（４）の下端から第１の中通しオモリ（５）を挿通し、当該二つ折りした挟持部（４）の先端を少し開くか、又はその挟持部に（４）に細筒（１３）を嵌めて第１の中通しオモリ（５）の抜け止めにした請求項１記載の魚釣り用オモリ支持具。
【請求項３】
二つ折りしたハリス挟持部（４）の下端から逆Ｕ字形取付部（５a′）を挿通してオモリ取付部（２）に差し込んで第２の逆Ｕ字形取付部付きのオモリ（５′）を連結した請求項１記載の魚釣り用オモリ支持具。
【請求項４】
二つ折りしたハリス挟持部（４）の下端から三角形枠の頂部環状部（５２）を挿通して環状のオモリ取付部（２）に差し込んで三角形枠の下辺（５３）・（５３）で軸支した第３の球形オモリ（５０）を連結した請求項１記載の魚釣り用オモリ支持具。
【請求項５】
二つ折りしたハリス挟持部（４）の下端から逆Ｕ字形取付部（５a′）を挿通してオモリ取付部（２）に差し込んで第２のオモリ（５′）を連結し、又は二つ折りしたハリス挟持部（４）の下端から三角形枠の頂部環状部（５２）を挿通してオモリ取付部（２）に差し込んで第３の球形オモリ（５０）を連結し、その後に二つ折りした所定長さ（Ｌｎ）に設定したハリス挟持部（４）を長さ（Ｌｎ）を有する第１のオモリ（５）の通し孔（５１）に挿通して止着した請求項１記載の魚釣り用オモリ支持具。
【請求項６】
オモリ支持体（１）の頂部傾斜環状部（３）に、その外側から内側に先糸（６）を潜らせると共に、細筒（８）に挿通して下位のサルカン（９）に接続し、そのハリス挟持部に釣り針（１１）付きのハリス（１０）を挟持した請求項１〜請求項４のいずれか一項に記載の魚釣り用オモリ支持具。
【考案の詳細な説明】
【技術分野】
【０００１】
本考案は、主としてハゼ釣りに適用する魚釣り用オモリ支持具に関するもので、釣り竿を水面に向けて投げると、道糸の先端部のオモリとそのオモリを取り付けた金属線のオモリ支持具の下端が水底に届いてタナ取りができると共に、岩礁等の障害物に根掛かりしてハリスが切れて釣り針をなくしたりする結果になっていたのを防止することを目的とする。
【背景技術】
【０００２】
一般に、ハゼ釣りにおいて、ハゼの遊泳層を確保するタナ取りのために浮きと道糸先端部の釣り針とのヒロ（１ヒロ：約１．５ｍ）を決めるのが重要になる。この場合、浮きを道糸に結着しているので、タナ取りする水深条件によって浮きより下方の長さ調整をするのが難しい。また、魚釣りの最中に釣り針をオモリと共に移動する際に根掛かり、すなわち水底の障害物に引っ掛けてハリスを切断してしまうことが往々にしてある。
【０００３】
特許文献１は、投げ釣り用等に使用される釣り用オモリに関し、中通しタイプのオモリを２つの懸吊部によって回転自在に支承してなり、水流、潮流の激しいでも流され難く、当たりが竿を通じて釣人に敏感に伝わり、根掛かりし難く、根掛かりしても外れ易いようにしたものである、としている。そして、釣り針を２つの懸吊部の一方に釣り針を接続してある。
【０００４】
特許文献２は、魚釣りをするときに、釣る場所の水深を、ウキの沈み具合で測る場合、ウキを沈める分銅の取り付け、取り外しが容易にでき、さらに投入ショック等で釣り針からはずれることがない様にするために、釣り針を、筒状の針刺し筒、に刺すとき、ウキを沈める為の過負荷分銅を取り付けた、針引っ掛けフックを、一緒にひっかけて刺して保持し、はずれない様にする。
これによって、釣りの最中の仕掛けのまま、釣り針に刺して取り付けることができるので、ペンチ等の特別な道具も要らないし、取り付け、取りはずしが、簡単にでき、はずれることもないので、度々水深を測っても、苦にならない、としている。
【先行技術文献】
【特許文献】
【０００５】
【特許文献１】特開２００２−  １７２１９号公報
【特許文献２】特開２００３−２１００８８号公報
【考案の概要】
【考案が解決しようとする課題】
【０００６】
上記特許文献１の魚釣り用オモリにあっては、潮流が激しくて流されやすい場所で使用するため、単一又は複数のオモリ部の孔に必ず２個一対の三角形の懸吊部を挿通して合わさった比較的角張った四角形となっている。そして球形のオモリを四角形枠の中央に配置した構成になっている。これによって、根掛かりし難く、一旦根掛かりしても外れやすい、としているが、岩礁等障害物に挟まったときは外れ難い構造になっている。
【０００７】
この状態で釣り竿を介して釣り針を移動させるとオモリも追従して移動する。このとき、オモリが水底に岩の間に挟まったりすると、オモリ自体が転動することがないから簡単には脱出させることができない。
【０００８】
特許文献２の釣り針が刺せる筒付き水深測り分銅にあっては、釣りをする本番前に水深を測るための分銅であり、しかも釣り針を引っ掛けてフックの頭部に嵌合した針刺し筒に釣り針を刺す構造であるから、道糸にはサルカンも接続してなく、且つ魚釣りするときの分銅（オモリ）ではなく、あくまでも魚釣りする直前の準備段階における分銅である。これに対して本考案は、魚釣りするために釣り針を取り付けたオモリであることが目的と構成及び効果が全く異なる。
【０００９】
本考案は上記従来の問題点を解決するために、新規な魚釣り用オモリを提供するものである。
【課題を解決するための手段】
【００１０】
本考案の第１は魚釣り用オモリ支持具において、所定長さの直線状の金属線製オモリ支持体の上半部と下半部の中央部を一巻きして環状のオモリ取付部を成形すると共に、オモリ支持体の頂部に先糸通し用の傾斜環状部を成形し、当該オモリ取付部の下半部を中通しオモリの長さより長く設定し、その下半部の下端を所定の長さで二つ折りしてハリス挟持部兼タナ取り部としたものである。
【００１１】
本考案の第２は、第１の考案に係る魚釣り用オモリ支持具において、二つ折りしたハリス挟持部の下端から第１の中通しオモリを挿通し、当該二つ折りしたハリス挟持部の先端を少し開くか、又はそのハリス挟持部に樹脂製細筒を嵌めて第１の中通しオモリの抜け止めにしたものである。
【００１２】
本考案の第３は、第１の考案に係る魚釣り用オモリ支持具において、二つ折りしたハリス挟持部の下端から逆Ｕ字形取付部を挿通してオモリ支持体の環状のオモリ取付部に差し込んで第２の逆Ｕ字形取付部付のオモリを連結したものである。
【００１３】
本考案の第４は、第１の考案に係る魚釣り用オモリ支持具において、二つ折りしたハリス挟持部の下端から三角形枠の頂部環状部を挿通して環状のオモリ取付部に差し込んで三角形枠の下辺で軸支した第３の球形オモリを連結したものである。
【００１４】
本考案の第５は、第１の考案に係る魚釣り用オモリ支持具において、二つ折りしたハリス挟持部の下端から逆Ｕ字形取付部を挿通してオモリ取付部に差し込んで第２のオモリを連結し、又は二つ折りしたハリス挟持部の下端から三角形枠の頂部環状部を挿通してオモリ取付部に差し込んで第３の球形オモリを連結し、その後に二つ折りしたハリス挟持部の長さを有する第１の中通しオモリの孔に挿通して止着したものである。
【００１５】
本考案の第６は、第１ないし第５の考案に係る魚釣り用オモリ支持具において、オモリ支持体の傾斜環状部に先糸を潜らせて細筒に挿通してサルカンに接続し、そのハリス挟持部に釣り針付きのハリスを挟持したものである。
【考案の効果】
【００１６】
本考案は上記の構成であるから次の効果がある。
第１に、請求項１及び請求項２にあって、オモリ支持体の下半部の下端部を二つ折りしたハリス挟持部から中通しオモリを通してその挟持部の折り返し先端を少し広げるだけで抜け止めになって確実に止着できる。また、オモリ自体は着脱できるから釣り条件に応じて最適な重さのオモリに交換することができる。
【００１７】
第２に、請求項３にあって、オモリ支持体の中央部に設けた環状のオモリ取付部にオモリの逆Ｕ字形取付部を二つ折りハリス挟持部の下端から挿通して差し込んで連結することができる。またそのオモリは、逆Ｕ字形取付部をオモリ支持体の環状取付部からずらして外せるから、釣り条件に応じて最適な重さのオモリに交換することができる。
【００１８】
第３に、オモリ支持体頂部の傾斜環状部と細筒に挿通した先糸（道糸とハリスを繋ぐ釣り糸）を上下に動かす操作をすることによって細筒が搖動するから、当該細筒がルアーの役目を果たして魚を誘い寄せる効果がある。
【００１９】
第４に、請求項４にあっては、二つ折りした挟持部の下端から三角形枠の頂部環状部を挿通して三角形枠の下辺を拡開することによって球形オモリを釣り条件に適合する最適な重さのオモリを選択して簡単容易に交換することができる。
【００２０】
第５に、各請求項にあって、オモリ支持体の下端部より上部寄りにオモリが装着されていて二つ折りハリス挟持部が中通しオモリより下に突出しているから、釣り針を水中に投入したときに容易正確にタナ取りをすることができる。
【００２１】
第６に、各請求項にあって、水底に沈んだオモリ支持体が岩礁に接して絡まるような状態にあっても、釣り竿を介して道糸を引き上げると、オモリ支持体が立ち上がることによって、当該オモリの長さより長い下半部が根株や岩礁等の障害物に絡まるようなことはなく、根掛かりを生じることはなくなる。
【００２２】
第７に、各請求項にあって、二つ折りのハリス挟持部にハリスを挟み込むだけで結ぶことなく止着することができ、且つハリス挟持部の上方に引き上げることによって外すことができる。
【図面の簡単な説明】
【００２３】
【図１】オモリ支持体の拡大正面図である。
【図２】オモリ支持体の拡大側面図である。
【図３】第１実施例の側面図である。
【図４】第２実施例の側面図である。
【図５】第３実施例の側面図である。
【図６】図５の一部拡大側面図である。
【図７】図３のオモリを水底に沈めた状態の側面図である。
【図８】図４のオモリを水底に沈めた状態の側面図である。
【図９】第４実施例のオモリを水底に沈めた状態の側面図である。
【考案を実施するための形態】
【００２４】
本考案は上記の構成において、当該考案を実施するための形態は次のとおりである。
第１の形態は、所定の長さに設定した直線状の金属線でオモリ支持体の上半部と下半部の中央部を一巻きして環状のオモリ取付部を成形する。次に、オモリ支持体の状半部の頂部に傾斜環状部を成形し、且つオモリ取付部の下半部をオモリの長さより長く設定し、その下半部の下端を所定長さで二つ折りしてハリス挟持部兼タナ取り部とする。
【００２５】
本考案の第２の形態は、第１の形態において、二つ折りしたハリス挟持部の下端から第１の中通しオモリを挿通して一巻きした環状のオモリ取付部とハリス挟持部の間の下半部に装着する。
【００２６】
本考案の第３の形態は、第１の形態において、二つ折りしたハリス挟持部の下端から逆Ｕ字形取付部を挿通して一巻きした環状のオモリ取付部に差し込んで第２の逆Ｕ字形取付部付きオモリを連結する。
【００２７】
本考案の第４の形態は、第１の形態において、二つ折りしたハリス挟持部の下端から三角形枠の頂部環状部を挿通して一巻きした環状のオモリ取付部に差し込んで第３の球形のオモリを連結する。
【００２８】
本考案の第５の形態は、第１の形態において、二つ折りしたハリス挟持部の下端から逆Ｕ字形取付部を挿通して環状のオモリ取付部に差し込んで第２のナス型オモリを連結し、又は三角形枠の頂部環状部を挿通して環状部に差し込んで第３の球形のオモリを連結すると共に、二つ折りしたハリス挟持部の長さを有するオモリの通し孔に第１の中通しオモリを挿通してオモリ支持体の下半部に止着する。
【００２９】
本考案の第６の形態は、第１から第４の形態において、環状のオモリ取付部に先糸を外側から内側に潜らせてルアー兼用の細筒を挿通して下位のサルカンに接続し、そのハリス挟持部に釣り針付きのハリスを挟持する。
【実施例】
【００３０】
次に、本考案に係る魚釣り用オモリ支持具の実施例を説明する。図１及び図２において、１は直線状の金属線のオモリ支持体、２はオモリ支持体上半部１１と下半部１２の中央部を一巻きして成形した環状のオモリ取付部、３はオモリ支持体１の頂部に成形した傾斜環状の糸通し部である。なお、当該環状の糸通し部３の傾斜角度は任意であるが３０度〜５０度の範囲とし、４５度前後を可とする。４は下半部１２の下端を所定の長さＬ１で二つ折りして成形したハリス挟持部であり、水深を測るタナ取り部を兼ねている。
【００３１】
上記のオモリ支持体１の大きさの例として、全長Ｌ＝６５ｍｍ、ハリス挟持部４の長さＬ１＝１５ｍｍ、一巻きした環状のオモリ取付部２の外径５ｍｍ、傾斜環状部３の外径＝３ｍｍ，金属線の太さ＝０．５ｍｍ前後に設定したものを示す。
【００３２】
図３〜図６において、５は二つ折りして成形したハリス挟持部４から挿通してオモリ支持体１の下半部１２に装着する中通しオモリである。図示例は第１の長型オモリを示し、長さＬｎ＝２０ｍｍ、最大径８ｍｍのものを示す。なお、長型オモリのほかに真球に近い球形の中通しオモリを用いることもある。その球形オモリの大きさは釣りときの条件により異なるが、図９の例は直径８〜１１ｍｍ程度のものを示す。
【００３３】
５′は第２のオモリであり、図示例はナス型（又は吊り鐘型）のオモリであり、頂部に逆Ｕ字形取付部５ａ′を固着している。６は道糸、６′は当該道糸６の下端にサルカン７を介して接続した先糸である。８はルアー兼用の樹脂製又は金属製の細筒であり、傾斜環状部３に外側から内側に通した先糸６′を挿通してある。その細筒８は魚が好むとされる集魚色例えば赤系統のものを用いることを可とする。図示例は、細筒の外径＝２．５ｍｍ、長さ＝３〜５ｍｍ程度のしたものを示す。９は先糸６′の先端に接続したサルカン、１０は先端に釣り針１１を繋ぎ、基端をサルカン９に簡単には抜けないように挟持してある。１２は長型又は球形の中通しオモリ５を下半部１２に装着した際に抜け止めにするための樹脂製チューブである。
【００３４】
[オモリの組立例１]
図１・２の状態から第１の長型中通しオモリ５を二つ折り挟持部４の下端から挿通して下半部１２に装着する。下半部１２に装着後の当該オモリ５は、ハリス挟持部４に樹脂チューブ１２を装入することによって抜けることはない。その樹脂チューブ１２を外せば長型の中通しオモリ５を抜いて他のオモリと交換することができる（図３）。なお、樹脂チューブ１２が無くても二つ折りした先端を少し外方に開くと当該オモリ５の抜け止めになる。
【００３５】
[オモリの組立例２]
図１・２の状態から第２のナス型１オモリ５′の逆Ｕ字形取付部５ａ′を二つ折りのハリス挟持部４の下端から挿通して一巻きした環状のオモリ取付部２に形成した２本の金属線間に挟み入れて連結する。これによって通常では抜けることはないが、連結と逆の順序で逆Ｕ字形取付部５ａ′を環取付状部２から取り外すことによって他の所望のオモリと交換することができる（図４）。
【００３６】
[オモリの組立例３]
三角形枠を成す金属線の左右斜辺５１・５１の下辺５３・５３で中通しの孔５０１に挿入して軸支した第３の球形オモリ５０の頂部環状の取付部５２を二つ折りのハリス挟持部４の下端から挿通して一巻きした環状のオモリ取付部２に挟み入れて連結する。そして、左右の下辺５３・５３を斜辺上部の捻じり部による弾力に抗して拡開して球形オモリ５０を所望の重さの他のオモリと交換することができる（図９）。
【００３７】
[オモリの組立例４]
第１と第２の組立例の組み合わせである。図１・２の状態から第２のナス型オモリ５′の逆Ｕ字形取付部５ａ′を二つ折りのハリス挟持部４の下端から挿通して一巻きした環状のオモリ取付部２の金属線間に挟み入れて連結する。次に、第１の長型中通しオモリ５を二つ折り挟持部４の下端から挿通して下半部１２に装着する（図５、図６）。
【００３８】
[具体的な使用例１]
第１の長型中通しオモリ５を装着したオモリ支持体１を水中に投入して道糸６を調整しながら緩めていくと、図３のようにオモリ支持体１が水底１３にほぼ垂直状態で到達する。これを基準に適正なタナ取りを行う。なお、この状態で道糸６をさらに緩めると、当該オモリ５と一体のオモリ支持体１が図７の状態から水底１３に横たわる。
【００３９】
この状態で道糸６を引き上げると、ルアー兼用の細筒８を挿通している先糸６′の先端に結合しているサルカン９に押されて細筒８の基端が傾斜環状部３に圧接して所定角度θで上向きに傾く。
【００４０】
これによって、魚のいる遊泳層に合わせる。釣り針１１は水底１３から離れて水中の浮遊する状態になる。そして、道糸６を上下方向に上げ下げの操作を繰り返すと、細筒８が上下や左右にも搖動し、ルアーとして魚を誘い寄せる機能を発揮する。そして、二つ折りしたハリス挟持部４にハリス１０を挟み込むだけでセットでき、魚が食い付いて引いたときはハリス根元の結び瘤１０１によって挟持部４からハリス１０が抜けることはない。
【００４１】
[具体的な使用例２]
図４はナス型を成す第２のオモリ５′を装着したオモリ支持体１を水中に投入して道糸６を緩めていくと、オモリ支持体１が水底１３に到達する。
【００４２】
この状態で道糸６を引き上げると、第１の使用例と同様にルアー兼用の細筒８を挿通している先糸６′の先端に結合しているサルカン９に押されて細筒８の基端が傾斜環状部３に圧接して所定角度θで上向きに傾く。
【００４３】
これによって、魚のいる遊泳層に合わせる。釣り針１１は水底１３から離れて水中の浮遊する状態になる。そして、道糸６を上下方向に上げ下げを繰り返すと、細筒８が上下や左右にも搖動し、ルアーとして魚を誘い寄せる機能を発揮する。
【００４４】
[具体的な使用例３]
図９は三角形枠を成す金属線の左右斜辺５１・５１の下辺５３・５３で中通しの孔５０１を軸支した球形オモリ５０を装着したオモリ支持体１を水中に投入して道糸６を調整しながら緩めていくと、オモリ支持体１が水底１３に到達する。
【００４５】
この状態で道糸６を引き上げると、第１の使用例と同様にルアー兼用の細筒８を挿通している先糸６′の先端に結合しているサルカン９に押されて細筒８の基端が傾斜環状部３に圧接して所定角度θで上向きに傾く。
【００４６】
これによって、魚のいる遊泳層に合わせる。釣り針１１は水底１３から離れて水中の浮遊する状態になる。そして、道糸６を上下方向に上げ下げを繰り返すと、細筒８が上下や左右にも搖動し、ルアーとして魚を誘い寄せる機能を発揮する。
【００４７】
上記の具体例１〜３において、水底１３にオモリ支持体１が横たわった状態において、道糸６を操作してオモリ支持体１をあらゆる方向にずらして行くうちに根株や岩礁にぶつかった際に、道糸６を引き上げると、オモリ支持体１が立ち上がり、これによって当該下半部１２に装着した中通しオモリ５や、一巻きした環状の取付部２に連結した第２のオモリ５′・第３の球形のオモリ５０が根掛かりすることなく、引き上げることができる。
【００４８】
また、二つ折りのハリス挟持部４は、これにハリス１０を挟み込むだけで結ぶことなく止着することができ、且つ二つ折り部のハリス挟持部４を少し開くだけで外すことができる。
【産業上の利用可能性】
【００４９】
本考案は、ハゼ釣りの例を示すが、他の魚釣りにも応用することが可能である。
【符号の説明】
【００５０】
１…オモリ支持体
１１…上半部
１２…下半部
２…環状のオモリ取付部
３…傾斜環状部
４…ハリス挟持部
５…第1の中通しオモリ
５１…オモリの支持体通し孔
５′…第２のオモリ（ナス型オモリ）
５a′…逆Ｕ字形取付部
６…道糸
６′…先糸（道糸とハリスを繋ぐ釣り糸）
７…上位のサルカン
７１…回転自在の道糸の上部取付部
７２…回転自在の道糸の下部取付部
８…先糸挿通用プラスチック細筒
９…下位のサルカン
１０…ハリス
１１…釣り針
１２…オモリの抜け止めチューブ
１３…水底
５０…第３のオモリ（球形の中通しオモリ）
５１…三角形枠の左右斜辺
５２…三角形枠の上部
５３…三角形枠の下辺
Ｌ…オモリ支持体の全長
Ｌ１…二つ折りハリス挟持部の長さ
Ｌｎ…中通しオモリの長さ
【図１】
0003230623.tif 000003
【図２】
0003230623.tif 000004
【図３】
0003230623.tif 000005
【図４】
0003230623.tif 000006
【図５】
0003230623.tif 000007
【図６】
0003230623.tif 000008
【図７】
0003230623.tif 000009
【図８】
0003230623.tif 000010
【図９】
0003230623.tif 000011